(57)【特許請求の範囲】
【請求項１】
パーム油の生産加工工程から最終的に排出される排出水とパーム副産物とを利用した処理設備において、
パーム油の生産加工工程から最終的に排出される排出水ＰＯＭＥが流入して保存されているＰＯＭＥ貯蔵槽（１）と；
前記ＰＯＭＥ貯蔵槽（１）と配管接続されてＰＯＭＥを受けて保存するが、管路上に熱交換器（２）が設置されてＰＯＭＥの廃熱を回収するようになっている排出水貯蔵槽（３）と；
前記排水貯蔵槽（３）と配管接続されてＰＯＭＥを受けて濃縮するが、管路上に、中和剤が溶解して保存された中和剤溶解タンク（４）と凝集剤が溶解されて保存された凝集剤溶解タンク（５）とが配管接続されており、中和剤と凝集剤が供給されたまま濃縮が行われ、ＰＯＭＥ中の液状物とスラッジが脱離されている濃縮器（７）と；
前記濃縮器（７）と接続されていて、濃縮されたＰＯＭＥの中、スラッジを脱水させてＰＯＭＥ脱水ケーキを製造し、スラッジ中の液状物が分離される脱水装置と；
一側は、前記濃縮機（７）と配管接続されており、他側は前記脱水装置と配管接続されていて、前記濃縮器（７）と脱水装置から脱離したＰＯＭＥ中の液状物を保存するが、管路上に前記凝集剤溶解タンク（５）が接続されて凝集剤を受けており、上部に浮遊物スクレーパが設置されていて、浮遊物を除去するように構成されている加圧浮上槽（１１）と；
前記加圧浮上槽（１１）に接続されていて、前記加圧浮上槽（１１）を経て浄化された液状物を曝気しながら有機物を酸化させて液肥を製造するように構成されており、一側に液肥貯蔵槽（１４）と接続されて製造された液肥は前記液肥貯蔵槽（１４）に保存するように構成され曝気槽（１３）と；
前記脱水装置と接続されて脱水装置で製造されたＰＯＭＥ脱水ケーキが保存される脱水ケーキ貯蔵槽（１８）と；
パーム種実皮（ＰＫＳ）が保存されるＰＫＳ貯蔵槽（２０）と；
パーム加工工程水脱水ケーキ（ＰＯＤＣ）が保存されるＰＯＤＣ貯蔵槽（１９）と；
パーム種実脱油ケーキ（ＰＫＣ）が保存されるＰＫＣ貯蔵槽（２３）と；
前記脱水ケーキ貯蔵槽（１８）、前記ＰＫＳ貯蔵槽（２０）、前記ＰＯＤＣ貯蔵槽（１９）、前記ＰＫＣ貯蔵槽（２３）に接続されてＰＯＭＥ脱水ケーキ、ＰＫＳ、ＰＯＤ、ＰＫＣを混合するミキサー（２５）と；
前記ミキサー（２５）と接続されて前記ミキサー（２５）から供給された原料中の異物を選別するスクリーン（２６）と；
前記スクリーン（２６）を通過した原料をペレットの形に成形する成形器（２７）と；
前記成形器（２７）から成形されたペレットを受けて乾燥する乾燥器（２８）と；
一側に前記熱交換器（２）が接続されていて、ＰＯＭＥの廃熱が供給され、他側には、外気が流入され、燃料を燃焼させて発生した熱を前記乾燥器（２８）に供給する熱風器（３２）と；
一側にスクラバが接続されており、他側は前記乾燥器（２８）と接続されていて、前記乾燥器（２８）から排出される水分や塵が含まれている空気中の水分や塵を分離排出するマルチサイクロン（２９）と；を含んで構成されることを特徴とするパーム油の生産加工工程から最終的に排出される排出水とパーム副産物とを利用した処理設備。
【請求項２】
前記乾燥器（２８）から排出されたペレットを粉砕するペレット粉砕機（３０）；及び前記粉砕されたペレットを保存する粉末貯蔵槽（２４）；がさらに具備されており、前記粉末貯蔵槽（２４）は、前記ミキサー（２５）と接続されていて、前記ミキサー（２５）へ粉砕されたペレットが追加で混合されることを特徴とする請求項１に記載のパーム油の生産加工工程から最終的に排出される排出水とパーム副産物とを利用した処理設備。
【請求項３】
パーム油の生産加工工程から最終的に排出される排出水とパーム副産物とを利用した処理方法において、
前記熱交換器（２）を利用して、パーム油の生産加工工程から最終的に排出される排出水ＰＯＭＥの廃熱を回収して冷却する冷却段階と；
冷却されたＰＯＭＥに中和剤を投入してｐＨを調整する中和段階と；
ｐＨが調整されたＰＯＭＥに凝集剤を投入する凝集剤投入段階と；
前記凝集剤が投入されたＰＯＭＥを濃縮させ、濃縮過程でＰＯＭＥ中の液状物が一次に脱離される濃縮段階と；
前記濃縮工程を経たＰＯＭＥを脱水させて含水率７０〜８０％のＰＯＭＥ脱水ケーキを製造し、脱水過程で液状物が二次に脱離される脱水段階と；
前記濃縮工程で一次に脱離された液状物と、脱水段階で二次に脱離された液状物に凝集剤を供給したまま、前記加圧浮上槽（１１）に投入し、浮遊物を除去する浮遊物除去段階と；
前記浮遊物が除去された液状物を３〜７日間曝気しながら有機物を酸化させ液肥を製造する液肥製造段階と；
パーム種実皮（ＰＫＳ）、パーム加工工程水脱水ケーキ（ＰＯＤＣ）、パーム種実脱油ケーキ（ＰＫＣ）と前記脱水段階で製造されたＰＯＭＥ脱水ケーキとを混合する混合段階と；
前記混合された原料中の異物を選別した後、ペレット形に成形する成形段階と；
前記成形段階で製造されたペレットを乾燥させる乾燥工程と；を含む構成されるパーム油の生産加工工程から最終的に排出される排出水とパーム副産物とを利用した処理方法。
【請求項４】
前記乾燥工程で乾燥されたペレットを粉砕し、粉砕されたペレットの粉を前記混合段階で混合させて混合物の含水率を４０〜６０％にすることを特徴とする請求項３に記載のパーム油の生産加工工程から最終的に排出される排出水とパーム副産物とを利用した処理方法。
【請求項５】
前記乾燥工程は、外気と燃料を受けて、燃料を燃焼させて熱風を発生して乾燥させるが、前記熱風と、前記冷却段階で前記熱交換器（２）を介して排出されたＰＯＭＥの廃熱と、パーム油生産加工工場で発生する廃熱とを混合して前記乾燥器（２８）で乾燥させ、混合された熱風の温度は５０〜１５０℃であり、相対湿度は０〜６０％であることを特徴とする請求項３に記載のパーム油の生産加工工程から最終的に排出される排出水とパーム副産物とを利用した処理方法。
【請求項６】
前記中和段階で、中和剤は、苛性ソーダ、消石灰、生石灰、ライムストーン、ベントナイトジオライト、及び水酸化カルシウムの中から選択されたいずれか一つをラインミックスを使用してＰＯＭＥと混合、攪拌することを特徴とする請求項３に記載のパーム油の生産加工工程から最終的に排出される排出水とパーム副産物とを利用した処理方法。
【請求項７】
前記ＰＯＭＥ脱水ケーキは、油脂類の含有量が１％以上のスラッジで構成されており、前記ＰＯＭＥ脱水ケーキ、乾燥ペレット粉末、及びアルカリ消石灰を混合した後、ペレットに成形することを特徴とする請求項３に記載のパーム油の生産加工工程から最終的に排出される排出水とパーム副産物とを利用した処理方法。
【発明の詳細な説明】
【技術分野】
【０００１】
本発明は、パーム種実からパーム油を抽出する加工工程中に発生する工程水を使用して乾燥固形再生可能エネルギー燃料を生産できる技術としてパーム油の生産加工工程で、最終的に排出される排出水から固形物を迅速に分離し、発生された液状の水処理を介して有機物を酸化させた後、パーム木の液状肥料として使用できるようにし、分離された固形物は、連続濃縮脱水方法で、含水率を７５％以下に脱水した後、パーム油加工中に発生する副産物であるパーム加工工程水脱水ケーキＰＯＤＣ、パーム種実脱油ケーキＰＫＣ、及びパーム種実皮ＰＫＳを混合して複合的なエネルギー量別の乾燥固形化再生可能エネルギー燃料および飼料原料を製造することができるようにした、パーム油の生産加工工程から最終的に排出される排出水とパーム副産物とを利用した処理設備及び処理方法に関するものである。
【背景技術】
【０００２】
パーム油は、マレーシアをはじめとする熱帯地域で育つ植物として、油脂類の生産のための作物として耕作範囲が全世界的に急速に拡大している。
【０００３】
特に、最近には、アフリカ地域はもちろん、メキシコ地域までその範囲が急速に拡大しており、南中国地域まで拡大されることによって、マメ科の植物の豆をはじめとするカノーラよりも栽培面積と使用用途が大幅に拡大している。
【０００４】
パーム油は、加工工程を経へて油を搾油する。この時、加工工程中に多くのスチームが投入され、これによる８０℃前後の高温凝縮水が発生して採油処理の中、高圧で圧着するので、植物に含まれている水分が一緒に流出して多くの量の固形物が工程水と排出される。
【０００５】
しかし、このように排出される工程水は高濃度で排出されるため、適切な処理方法がなくて、現在までほとんどのパーム油生産工場で池を作って自然に蒸発させる方法を並行して、違法な放流（ｄｉｓｃｈａｒｇｅ）の方法を使用しているのが実情であるが、土壌汚染と水質汚染がひどいだけでなく、大気汚染に至るまで、膨大な問題を発生させてこれ以上放置できなくなる。
【０００６】
また、パーム油の採油プロセス中にパーム油の生産加工工程から最終的に排出される排出水（ＰＯＭＥ）のほかにパーム加工工程水脱水ケーキ（ＰＯＤＣ）、パーム種実皮（ＰＫＳ）及びパーム種実脱油ケーキ（ＰＫＣ）などの副産物が生産され、これらの物質は、従来の加工工場の燃料として使用して蒸気を生成するために使用してきたが、体積が大きく、取り扱いが難しく、多くの問題を抱えている。
【０００７】
このようなパーム油抽出工程の廃棄物の処理のための技術として、「パーム油抽出工程の廃棄物を利用した生肥料の製造方法」、特許文献１には、  カーネルの皮を炭化させ、ＥＦＢを焼却し、ＰＯＭＥを微細気泡として処理し、濾過して脱水ケーキを得て、これらを混合した後、熟成させて生肥料を製造する工程が公開されている。
【０００８】
しかし、前記の技術は、カーネルの皮及び実束などを、それぞれ炭化焼却するため、これに伴うエネルギー源の消費が発生するという問題点があった。
【０００９】
また、副産物のパーム種実脱油ケーキやパーム加工工程水脱水ケーキなどの処理方法は、提供されない問題点がある。
【００１０】
このように、現在までのパーム加工の最終工程水は処理することが非常に難しいだけでなく、既存の水処理工法では処理できなくて、大きな数十の池を作って順番に長期間、滞留（約６０〜１２０日）させて蒸発させたり不法に放流する方式をとってきたが、さらに腐敗がひどくて悪臭の発生を誘発する原因となり、大気汚染を発生させるなど、多くの問題がある。
【００１１】
特に、発生されたパーム加工の最終工程水を廃水に転換させて池（Ｐｏｎｄｉｎｇ  Ｐｒｏｃｅｓｓ）を作って処理する方法は、多くの面積の土地が必要であり、管理が難しく、沈殿した物質は、年次ごとに継続回収する必要があるなどの問題点があった。最近には、ヨーロッパでバイオガスを生産する技術が投入されているが、これはまた、バイオガスを生産するための消化時間がかかり、バイオガスの生産量も一定ではなく、いくつかのバイオガスを生産したといっても、バイオガスの生産後、最終排出される廃水は、高濃度窒素を含有している排水であり、これを処理するための莫大な費用がかかるので、まだ普及されなくており、ほとんど失敗して実用化に近づいていない実情である。
【００１２】
また、ＰＯＤＣは生産量が多く、水分含有量が高く、処分が難しくて腐熟させて堆肥に生産する方法を使用しており、ＰＫＳは、独自の燃料として使用されているが、水分含有量と体積が多くて経済性の確保に困難があり、ＰＫＣは飼料として使用されているが、品質の変化に伴う市場の難しさがあるなど、長期的な対応策はなくて、最終的には広い面積の野積場に投入して放置する実情であるため、これらの問題を解決するための多くの困難に直面している。
【先行技術文献】
【特許文献】
【００１３】
【特許文献１】韓国登録特許第１０−０９３８４９０号公報
【発明の概要】
【発明が解決しようとする課題】
【００１４】
本発明は、上記のような従来技術で発生する問題を解消するためのもので、パーム油の生産加工工程から最終的に排出される排出水（ｐａｌｍ  ｏｉｌ  ｍｉｌｌ  ｅｆｆｌｕｅｎｔ：ＰＯＭＥ）とパーム種実皮（ｐａｌｍ  ｋｅｒｎｅｌ  ｓｈｅｌｌ：ＰＫＳ）のほかにパーム加工工程水脱水ケーキ（ｐａｌｍ  ｏｉｌ  ｄｅｃａｎｔｅｒ  ｃａｋｅ：ＰＯＤＣ）とパーム種実脱油ケーキ（ｐａｌｍ  ｋｅｒｎｅｌ  ｃａｋｅ：ＰＫＣ）の両方を統合加工処理して燃焼用再生可能エネルギー源と液肥で製造することによって、廃棄物の処理効率を高めることができるし、これをエネルギー源と飼料として活用できるようにすることによって、生産性を備えることができるパーム油の生産加工工程から最終的に排出される排出水とパーム副産物とを利用した処理設備及び処理方法の提供にある。
【００１５】
より具体的には、高温で排出されるＰＯＭＥの廃熱を熱交換器を利用して回収した後、冷却されたＰＯＭＥ中に含まれている浮遊固形物を固液分離し、液状は保存した後、曝気過程を経てパーム木など他の植物の液肥で使用し、固液分離されたスラッジは、濃縮して含水率７５％前後で脱水した後、ＰＯＤＣ、ＰＫＳ、ＰＫＣと混合成形してペレット化し、再生可能なエネルギー源として利用できるパーム油の生産加工工程から最終的に排出される排出水とパーム副産物とを利用した処理設備及び処理方法の提供にある。
【００１６】
併せて、濃縮および脱水段階を経て排出された分離液相内の未凝集された残りの浮遊物を加圧浮上槽で浮上させ、スクレーパを使用して除去することによって、元の排水に比べて高い除去率を持つパーム油の生産加工工程から最終的に排出される排出水とパーム副産物とを利用した処理設備及び処理方法の提供にある。
【課題を解決するための手段】
【００１７】
本発明のパーム油の生産加工工程から最終的に排出される排出水とパーム副産物とを利用した処理設備は、前記のような課題を解決するために、パーム油の生産加工工程から最終的に排出される排出水とパーム副産物とを利用した処理設備において、パーム油の生産加工工程から最終的に排出される排出水ＰＯＭＥが流入して保存されているＰＯＭＥ貯蔵槽と；前記ＰＯＭＥ貯蔵槽１と配管接続されてＰＯＭＥを受けて保存するが、管路上に熱交換器２が設置されてＰＯＭＥの廃熱を回収するようになっている排出水貯蔵槽３と；前記排水貯蔵槽３と配管接続されてＰＯＭＥを受けて濃縮するが、管路上に、中和剤が溶解して保存された中和剤溶解タンク４と凝集剤が溶解されて保存された凝集剤溶解タンク５が配管接続されており、中和剤と凝集剤が供給されたまま濃縮が行われ、ＰＯＭＥ中の液状とスラッジが脱離されている濃縮器７と；前記濃縮器７と接続されていて、濃縮されたＰＯＭＥの中、スラッジを脱水させてＰＯＭＥ脱水ケーキを製造し、スラッジ中の液相が分離される脱水装置；一側は、前記濃縮機７と配管接続されており、他側は前記脱水装置と配管接続されていて、濃縮器７と脱水装置から脱離したＰＯＭＥ中の液状を保存するが、管路上に前記凝集剤溶解タンク５が接続されて凝集剤を受けており、上部に浮遊物スクレーパが設置されていて、浮遊物を除去するように構成されている加圧浮上槽１１と；前記加圧浮上槽１１に接続されていて、加圧浮上槽１１を経て浄化された液状を曝気しながら有機物を酸化させて液肥を製造するように構成されており、一側に液肥貯蔵槽１４と接続されて製造された液肥は液肥貯蔵槽１４に保存するように構成され曝気槽１３と；前記脱水装置と接続されて脱水装置で製造されたＰＯＭＥ脱水ケーキが保存される脱水ケーキ貯蔵槽１８と；パーム種実皮（ＰＫＳ）が保存されるＰＫＳ貯蔵槽２０と；パーム加工工程水脱水ケーキ（ＰＯＤＣ）が保存されるＰＯＤＣ貯蔵槽１９と；パーム種実脱油ケーキ（ＰＫＣ）が保存されるＰＫＣ貯蔵槽２３と；前記脱水ケーキ貯蔵槽１８、ＰＫＳ貯蔵槽２０、ＰＯＤＣ貯蔵槽１９、ＰＫＣ貯蔵槽２３に接続されてＰＯＭＥ脱水ケーキ、ＰＫＳ、ＰＯＤ、ＰＫＣを混合するミキサー２５と；前記ミキサー２５と接続されてミキサー２５から供給された原料中の異物を選別するスクリーン２６と；前記スクリーン２６を通過した原料をペレットの形に成形する成形器２７と；前記成形器２７から成形されたペレットを受けて乾燥する乾燥器２８と；一側に前記熱交換器２が接続されていて、ＰＯＭＥの廃熱が供給され、他側には、外気が流入され、燃料を燃焼させて発生した熱を前記乾燥器２８に供給する熱風器３２と；一側にスクラバが接続されており、他側は前記乾燥器２８と接続されていて、乾燥器２８から排出される水分や塵が含まれている空気中の水分や塵を分離排出するマルチサイクロン２９と；を含んで構成されることを特徴とする。
【００１８】
この時、前記乾燥器２８から排出されたペレットを粉砕するペレット粉砕機３０；及び前記粉砕されたペレットを保存する粉末貯蔵槽２４；がさらに具備されており、粉末貯蔵槽２４は、前記ミキサー２５と接続されていて、ミキサー２５から粉砕されたペレットが追加で混合されることを特徴とする。
【００１９】
また、本発明のパーム油の生産加工工程から最終的に排出される排出水とパーム副産物とを利用した処理方法は、熱交換器２を利用して、パーム油の生産加工工程から最終的に排出される排出水ＰＯＭＥの廃熱を回収して冷却する冷却段階と；冷却されたＰＯＭＥに中和剤を投入してｐＨを調整する中和段階と；ｐＨが調整されたＰＯＭＥに凝集剤を投入する凝集剤投入段階と；前記凝集剤が投入されたＰＯＭＥを濃縮させ、濃縮過程でＰＯＭＥ中の液状が一次に脱離される濃縮段階と；前記濃縮工程を経たＰＯＭＥを脱水させて含水率７０〜８０％のＰＯＭＥ脱水ケーキを製造し、脱水過程で液状の二次に脱離れる脱水段階と；前記濃縮工程で一次に脱離された液状と、脱水段階で二次に脱離した液状に凝集剤を供給したまま、加圧浮上槽１１に投入し、浮遊物を除去する浮遊物除去段階と；前記浮遊物が除去された液状を３〜７日間曝気しながら有機物を酸化させ液肥を製造する液肥製造段階と；パーム種実皮（ＰＫＳ）、パーム加工工程水脱水ケーキ（ＰＯＤＣ）、パーム種実脱油ケーキ（ＰＫＣ）と前記脱水段階で製造されたＰＯＭＥ脱水ケーキを混合する混合段階と；前記混合された原料中の異物を選別した後、ペレット形に成形する成形段階と；前記成形段階で製造されたペレットを乾燥させる乾燥工程と；を含む構成される。
【００２０】
この時、前記乾燥工程で乾燥されたペレットを粉砕し、粉砕されたペレットの粉を前記混合段階で混合させて混合物の含水率を４０〜６０％にすることを特徴とする。
【００２１】
また、前記乾燥工程は、外気と燃料を受けて、燃料を燃焼させて熱風を発生して乾燥させるが、前記熱風と、前記冷却段階で熱交換器２を介して排出されたＰＯＭＥの廃熱と、パーム油生産加工工場で発生する廃熱とを混合して乾燥器２８で乾燥させ、混合された熱風の温度は５０〜１５０℃であり、相対湿度は０〜６０％であることを特徴とする。
【００２２】
この時、前記中和段階で、中和剤は、苛性ソーダ、消石灰、生石灰、ライムストーン、ベントナイトジオライト、及び水酸化カルシウムの中から選択されたいずれか一つをラインミックスを使用してＰＯＭＥと混合、攪拌することを特徴とする。
【００２３】
さらに、前記ＰＯＭＥ脱水ケーキは、油脂類の含有量が１％以上のスラッジで構成されており、前記ＰＯＭＥ脱水ケーキと乾燥ペレット粉末、アルカリ消石灰を混合した後、ペレットに成形することを特徴とする。
【発明の効果】
【００２４】
本発明により、パーム油の生産加工工程から最終的に排出される排出水（ｐａｌｍ  ｏｉｌ  ｍｉｌｌ  ｅｆｆｌｕｅｎｔ：ＰＯＭＥ）とパーム種実皮（ｐａｌｍ  ｋｅｒｎｅｌ  ｓｈｅｌｌ：ＰＫＳ）のほかにパーム加工工程水脱水ケーキ（ｐａｌｍ  ｏｉｌ  ｄｅｃａｎｔｅｒ  ｃａｋｅ：ＰＯＤＣ）とパーム種実脱油ケーキ（ｐａｌｍ  ｋｅｒｎｅｌ  ｃａｋｅ：ＰＫＣ）の両方を統合加工処理して燃焼用再生可能エネルギー源と液肥で製造することによって、廃棄物の処理効率を高めることができるし、これをエネルギー源と肥料に活用できるようにすることによって、生産性が整えられることになる。
【００２５】
より具体的には、高温で排出されるＰＯＭＥの廃熱を熱交換器を利用して回収した後、冷却されたＰＯＭＥ中に含まれている浮遊固形物を固液分離し、液状の保存した後、曝気過程を経てパーム木など他の植物の液肥で使用し、固液分離されたスラッジは、濃縮して含水率７５％前後で脱水した後、ＰＯＤＣ、ＰＫＳ、ＰＫＣと混合及び成形してペレット化し、再生可能なエネルギー源として利用できるようになる。
【００２６】
併せて、濃縮および脱水段階を経て排出された分離液相内の未凝集された残りの浮遊物を加圧浮上槽で浮上させ、スクレーパを使用して去率することによって、元の排水に比べ高い除去率を持つようになる。
【００２７】
また、ＰＯＭＥから排出される液状中に含まれている浮遊物、総窒素と総りんなどの汚染物質を除去する工程を単純化し、リアルタイムで処理できるようにし、それにもかかわらず浮遊物、総窒素および総リンの除去効率が非常に優れており、このための装置の設置面積を最小限に抑えることができようになる。
【図面の簡単な説明】
【００２８】
【図１】本発明のパーム油の生産加工工程から最終的に排出される排出水とパーム副産物とを利用した処理設備を示した構成図である。
【図２】本発明のパーム油の生産加工工程から最終的に排出される排出水とパーム副産物とを利用した処理方法を示す工程図である。
【発明を実施するための形態】
【００２９】
パーム種実からパーム油を抽出する加工工程には、パーム油の生産加工工程で、最終的に排出される排出水（ｐａｌｍ  ｏｉｌ  ｍｉｌｌ  ｅｆｆｌｕｅｎｔ：ＰＯＭＥ）が発生する。
【００３０】
また、パーム副産物として、パーム油搾油工程を経て発生される工程水から遠心分離を介して排出される脱水ケーキであるパーム加工工程水脱水ケーキ（ｐａｌｍ  ｏｉｌ  ｄｅｃａｎｔｅｒ  ｃａｋｅ：ＰＯＤＣ）が発生する。
【００３１】
あわせて、パーム油を搾油した後、発生される種実の外皮を剥皮したもので、パーム種実皮（ｐａｌｍ  ｋｅｒｎｅｌ  ｓｈｅｌｌ：ＰＫＳ）が発生し、パーム種実脱油ケーキ（ｐａｌｍ  ｋｅｒｎｅｌ  ｃａｋｅ：ＰＫＣ）が発生する。
【００３２】
本発明では、これらのＰＯＭＥ、ＰＯＤＣ、ＰＫＳ、ＰＫＣそれぞれの特徴を考え合せて、統合的または個別に処理することができるようにした。
【００３３】
ＰＯＭＥは、通常３〜６％の固形分を含有しているので、これを固液分離する場合、ＣＯＤ、ＳＳ、ＴＮ、ＴＰなどの汚染度が急速に低減され、発生した液状で溶解性有機物は酸化が容易で迅速に処理して液肥としての使用が可能であり、これは土壌に迅速に吸収されることができる。
【００３４】
併せて、固液分離されたＰＯＭＥ脱水ケーキは、乾燥する場合、燃焼のためのエネルギー源として使用するように加工する。
【００３５】
ＰＯＤＣは、通常含水率が７０％前後で排出される副産物として、温度が９０℃前後で、ほとんど野積み放置して堆肥として使用されるが、本発明では、維持量を分析した後、エネルギー源としての価値を発見して原料として使用するようにした。
【００３６】
ＰＫＳは、エネルギー含量が高いが、体積が大きくて処理コストがかかるので、これも一緒に処理することによって、エネルギー源として使用するようにした。
【００３７】
一方、ＰＫＣやはりエネルギー源、水分調節剤として使用するようにした。
【００３８】
以下、本発明のパーム油の生産加工工程から最終的に排出される排出水とパーム副産物とを利用した処理設備及び処理方法について、添付された図面を介して詳細に説明することにする。
【００３９】
まず、本発明のパーム油の生産加工工程から最終的に排出される排出水とパーム副産物とを利用した処理設備について説明する。
【００４０】
図示されたように、本発明の処理設備は、ＰＯＭＥ貯蔵槽１、排出水貯蔵槽３、濃縮器７、脱水装置、加圧浮上槽１１、曝気槽１３、脱水ケーキ貯蔵槽１８、ＰＫＳ貯蔵槽２０、ＰＯＤＣ貯蔵槽１９、ＰＫＣ貯蔵槽２３、ミキサー２５、スクリーン２６、成形器２７、乾燥器２８、熱風器３２、及びマルチサイクロン２９；を含んで構成される。
【００４１】
ＰＯＭＥ貯蔵槽１は、図示されたように、パーム油の生産加工工程で、最終的に排出される排出水ＰＯＭＥが流入して保存される。
【００４２】
排出水貯蔵槽３は、図示されたように、前記ＰＯＭＥ貯蔵槽１と配管接続されてＰＯＭＥを受けて保存するが、管路上に熱交換器２が設置されてＰＯＭＥの廃熱を回収するように構成されている。
【００４３】
濃縮器７は、前記排出水貯蔵槽３と配管接続されてＰＯＭＥを受けて濃縮するように構成されている。
【００４４】
このとき、管路上の中和剤が溶解されて保存された中和剤溶解タンク４と凝集剤が溶解されて保存された凝集剤溶解タンク５が配管接続されて、中和剤と凝集剤が供給されたまま濃縮が行われるようになっている。
【００４５】
具体的には、管路上に一つまたは二つのラインミキサー６が設けられており、このラインミキサー６に中和剤溶解タンク４と凝集剤溶解タンク５がそれぞれ接続されることによって、それぞれのタンクで溶解された中和剤と凝集剤がラインミキサー６を介して排水槽３から濃縮器７に移動する管路上で混合及び攪拌されるようにすることができる。
【００４６】
この時、定量ポンプを設置して投入量を一定に保つようにすることができる。
【００４７】
また、ｐＨ調整槽を備えて中和剤が投入されたＰＯＭＥがｐＨ調整槽で一定時間の間、滞留しながら、中和が完了するようにすることができる。
【００４８】
さらに、濃縮器７を通過しながらＰＯＭＥ中の液状スラッジが主に脱離することになる。
【００４９】
脱水装置は、図示されたように、前記濃縮機７と接続されており、濃縮されたＰＯＭＥの中、スラッジを脱水させてＰＯＭＥ脱水ケーキを製造し、スラッジ中の液相が分離するように構成されている。
【００５０】
このような脱水装置は、図示されたように、空気圧脱水機８、移送コンベア１５、ベルトプレス型の圧着プレス１６が連続して配置された構成をとることができる。
【００５１】
併せて、スラッジ中の液相の分離は、圧着プレス１６で行われるようにするのが好ましい。
【００５２】
加圧浮上槽１１は、図示されたように、一側は、前記濃縮機７と配管接続されており、他側は前記脱水装置と配管接続されており、濃縮器７と脱水装置から脱離したＰＯＭＥ中の液状を保存するが、管路上に前記凝集剤溶解タンク５が接続されて凝集剤が供給されており、上部に浮遊物スクレーパが設置されており、浮遊物を除去するように構成されている。
【００５３】
この時、図示されたように、濃縮機７と接続されている配管と、脱水装置と接続された配管には、バッファタンク９、１７へ移送されて移送ポンプを介してラインミキサー１０に連結されるのが好ましく、このラインミキサー１０に凝集剤溶解タンク５が接続されて定量供給ポンプによる凝集剤が供給されるのが好ましい。
【００５４】
このような加圧浮上槽１１には、微細な空気を供給するように構成されており、上部に設置された浮遊物スクレーパは、微粒子の状態で存在する浮遊物を除去するようになっている。
【００５５】
図示されたように、加圧浮上槽１１から除去された浮遊物は排出水貯蔵槽３に移送処理されるようにするのが好ましい。
【００５６】
一方、曝気槽１３は、図示されたように、バッファタンク１２を介して前記加圧浮上槽１１に接続されており、加圧浮上槽１１を経て浄化された液状の曝気しながら有機物を酸化させて液肥を製造するように構成されており、一側に液肥貯蔵槽１４と接続されて製造された液肥は液肥貯蔵槽１４に格納するように構成されている。
【００５７】
脱水ケーキ貯蔵槽１８は、前記脱水装置と接続されて脱水装置から製造されたＰＯＭＥ脱水ケーキが保存されている。
【００５８】
さらに、ＰＫＳ貯蔵槽２０は、パーム種実皮（ＰＫＳ）が保存され、ＰＯＤＣ貯蔵槽１９には、パーム加工工程水脱水ケーキ（ＰＯＤＣ）が保存され、ＰＫＣ貯蔵槽２３には、パーム種実脱油ケーキ（ＰＫＣ）が保存されている。
【００５９】
ミキサー２５は、図示されたように、前記脱水ケーキ貯蔵槽１８、ＰＫＳ貯蔵槽２０、ＰＯＤＣ貯蔵槽１９、ＰＫＣ貯蔵槽２３に接続されてＰＯＭＥ脱水ケーキ、ＰＫＳ、ＰＯＤ、及びＰＫＣを混合するように構成されている。
【００６０】
このとき、ＰＫＳ貯蔵槽２０とミキサー２５との間に粉砕機２１と粉砕ＰＫＳ貯蔵槽２２を追加設置してミキサー２５に投入されるＰＫＳは、粉砕された状態で供給されるようにするのが好ましい。
【００６１】
スクリーン２６は、前記ミキサー２５と接続されてミキサー２５から供給された原料中の異物を選別するように構成されており、成形器２７は、前記スクリーン２６を通過した原料をペレットの形に成形するように構成されている。
【００６２】
さらに、乾燥器２８は、前記成形器２７から成形されたペレットを受けて、乾燥するように構成されるが、乾燥器２８は、一側に、前記熱交換器２が接続されて、ＰＯＭＥの廃熱が供給され、他側は外気が流入され、燃料を燃焼させて発生した熱を前記乾燥器２８に供給する熱風器３２の作動により作動される。
【００６３】
さらに、マルチサイクロン２９は、一側にスクラバが接続されており、他側は前記乾燥器２８と接続されており、乾燥器２８から排出される水分や塵が含まれている空気中の水分や塵を分離排出するように構成されている。
【００６４】
前記のような構成では、前記乾燥器２８から排出されたペレットを粉砕するペレットの粉砕機３０と；  前記粉砕されたペレットを保存する粉末貯蔵槽２４と；がさらに具備されており、粉末貯蔵槽２４は、前記ミキサー２５と接続されており、ミキサー２５から粉砕されたペレットは、追加して混合するように構成されることができる。
【００６５】
以下では、前記のように構成される本発明のパーム油の生産加工工程から最終的に排出される排出水とパーム副産物とを利用した処理設備を利用した処理方法について説明する。
【００６６】
本発明に係る処理方法は、図１及び図２に示すように、
【００６７】
１．冷却段階
熱交換器２を利用して、パーム油の生産加工工程で、最終的に排出される排出水ＰＯＭＥの廃熱を回収して冷却させる。より具体的に、ＰＯＭＥは８０℃以上の高温で排出されるので、これを活用するために、ＰＯＭＥ貯蔵槽１と排出水貯蔵槽３との間に熱交換器２を設置して廃熱を利用するようにする。
【００６８】
このとき、熱交換器２の一側には、外気が流入するようにして、流入した外気は、熱風器３２と接続するようにして廃熱をペレット乾燥に活用することができる。
【００６９】
２．中和段階
冷却されたＰＯＭＥに中和剤を投入してｐＨを調整する。
【００７０】
このとき、前記中和段階で中和剤は苛性ソーダ、消石灰、生石灰、ライムストーン、ベントナイトジオライト、水酸化カルシウムの中から選択されたいずれか一つを、ラインミックスを使用してＰＯＭＥと混合、攪拌することを特徴とする。
【００７１】
より具体的に、中和剤は、上部に中和剤が投入されるホッパーが備えられ、内部にモータと接続された撹拌機を備えた中和剤溶解タンク４に投入され、中和剤と一緒に清水が投入されて中和剤を溶解させ、中和剤溶解タンク４を排水槽３から濃縮器７に接続されている配管にラインミキサー６を介して配管接続して中和剤を供給するようにする。
【００７２】
併せて、上述したように、中和効果を安定化させ、冷却するための中間貯蔵槽の性質のｐＨ調整槽を備えて中和剤が投入されたＰＯＭＥがｐＨ調整槽で一定時間の間、滞留しながら中和が完了するようにする。
【００７３】
３．凝集剤投入段階
ｐＨが調整されたＰＯＭＥに凝集剤を投入する。
【００７４】
凝集剤投入段階も凝集剤溶解タンク５を備え、凝集剤溶解タンク５を排水槽３から濃縮器７を接続する配管にラインミキサー６を介して配管接続して供給するようにする。
【００７５】
併せて、凝集剤溶解タンク５も清水と凝集剤が混合されて凝集剤が、清水に溶解された状態で供給されるようにして凝集反応が行われるようにする。
【００７６】
凝集剤溶解タンク５も凝集剤が定量投入されるようにホッパーが上部に設置され、下部には、インバータを搭載した粉末定量スクリューを介して凝集剤が定量的に清水と混合溶解されるようにするのが好ましい。
【００７７】
併せて、凝集剤溶解タンク５が複数に備えられ、互いに連結する一方、モータと攪拌機が設置されて段階的に溶解されて流入される清水と一緒に連続して多段に溶解されるようにするのが好ましい。
【００７８】
このような過程を経て凝集剤がラインミキサー６を介してＰＯＭＥに供給されば、これを混合させて凝集作用を遂行しながら、適正時間の間、反応することになる。
【００７９】
このための凝集剤は、ポリアクリルアミドを使用するのが望ましい。
【００８０】
４．濃縮工程
前記凝集剤が投入されたＰＯＭＥを濃縮させ、濃縮過程でＰＯＭＥ中の液状が一次に脱離することになる。
【００８１】
濃縮器７は、前記排出水貯蔵槽３と配管接続されてＰＯＭＥを受けて濃縮するように構成されている。
【００８２】
濃縮器７では、凝集段階から凝集されたＰＯＭＥを濃縮しながら、一次にスラッジを分離させる。
【００８３】
５．脱水段階
前記濃縮工程を経たＰＯＭＥを脱水させて含水率７０〜８０％のＰＯＭＥ脱水ケーキを製造し、脱水過程で液状が二次に脱離される。
【００８４】
脱水段階は、上述した脱水装置を経て進行され、濃縮器７と接続された垂直型空気圧脱水機８で、最初に脱水し、空気圧脱水機８に続いて設置された移送コンベア１５及び移送コンベア１５と接続された圧着プレス１６で、追加脱水し、脱水が完了したスラッジは、最終的にスクリューコンベアにより外部に移送されることになる。
【００８５】
６．浮遊物の除去段階
前記濃縮工程で一次に脱離された液状と、脱水段階で二次に脱離した液状に凝集剤を供給したまま、配管に連通及び連結する貯蔵槽を介して移送ポンプを介して加圧浮上槽１１に投入して浮遊物を除去する。
【００８６】
このため、加圧浮上槽１１は、図示されたように、一側は、濃縮機７と配管接続され、他側は脱水装置と配管接続され、それぞれからＰＯＭＥ中の液状を受けて保存することになり、加圧浮上槽１１の上部の回転用ベルト搬送方式の浮遊物スクレーパが浮遊物を連続的に除去することになる。
【００８７】
併せて、加圧浮上槽１１内に微粒気泡発生器を設置して流入する液相中の未除去された微量の固形物を気泡を通じて浮遊させるようにするのが好ましい。
【００８８】
併せて、上述したように、管路上に前記凝集剤溶解タンク５が接続されて凝集剤を受けて脱離れた液状の追加の凝集が行われるようにし、バッファタンク９、１７を経た後、凝集剤の供給と加圧浮上が行われるようすることによって、浮遊物質が９９％以上分離できるようにする。
【００８９】
併せて、分離された浮遊物は、排出水貯蔵槽３と配管接続されて排出水貯蔵槽３に再び移送処理する。
【００９０】
７．液肥製造段階
前記浮遊物が除去された液状を３〜７日間曝気しながら有機物を酸化させて液肥を製造する。
【００９１】
このため、曝気槽１３を前記のように備えて加圧浮上槽１１を経て浄化された液状を曝気しながら有機物を酸化させて液肥を製造するように構成され、一側に液肥貯蔵槽１４と接続されて製造された液肥は液肥貯蔵槽１４に格納するように構成される。
【００９２】
保存された液肥は、パーム木などの液肥として使用される。
【００９３】
８．混合段階
パーム種実皮（ＰＫＳ）、パーム加工工程水脱水ケーキ（ＰＯＤＣ）、パーム種実脱油ケーキ（ＰＫＣ）及び前記脱水段階から製造されたＰＯＭＥ脱水ケーキを混合する。
【００９４】
このため、図示のようにＰＯＭＥ脱水ケーキが保存されている脱水ケーキ貯蔵槽１８、ＰＫＳ貯蔵槽２０、ＰＯＤＣ貯蔵槽１９、ＰＫＣ貯蔵槽２３がそれぞれ備えられ、これらのすべてが配管接続されたミキサー２５が完備されてミキサー２５で各原料を混合することになる。
【００９５】
このとき、ＰＫＣはＰＯＤＣとＰＫＳの含水率が７０％以上であるので、全体含水率を６０％以下に調節する用途を有する。
【００９６】
より具体的には、前記脱水段階を経たＰＯＭＥ脱水ケーキは、含水率が７０〜８０％程度であり、ＰＯＤＣは、排出温度が８０℃前後であり、含水率が約７５％前後を持ち、ＰＫＳも含水率が７０％以上である。
【００９７】
一方、ＰＫＣは含水率が１０％前後であるので、これらを混合することによって、混合物全体の含水率を４０〜６０％に調整してペレット成形に適合することになる。
【００９８】
９．成形段階
前記混合された原料中の異物を選別した後、成形器２７に投入してペレットの形に成形する。
【００９９】
この時、ペレットサイズは、直径５〜２０ｍｍ、長さ１０〜５０ｍｍ程度で成形する。
【０１００】
１０．乾燥工程
前記成形器２７で製造されたペレットを乾燥させる。
【０１０１】
乾燥は、上述したように、低温熱風乾燥器２８を活用し、乾燥されたペレットの含水率は１０％以下になるようするのが好ましい。
【０１０２】
熱風の温度は５０〜１５０℃であり、相対湿度は０〜６０％であり、好ましくは４０〜６０％であるのが望ましい。
【０１０３】
この時、乾燥されたペレットの一部を粉砕した後、混合段階に戻って送って湿度調節用途で活用することができる。
【０１０４】
このため、乾燥工程から乾燥されたペレットを粉砕する粉砕段階と、粉砕されたペレットの粉を前記混合段階で混合させて混合物の含水率を４０〜６０％にすることができる。
【０１０５】
また、乾燥工程は、外気と燃料を受けて、燃料を燃焼させて熱風を発生して乾燥させるが、前記熱風と、前記冷却段階で熱交換器２を介して排出されたＰＯＭＥの廃熱と、パーム油の生産加工工場から発生される廃熱を混合して乾燥器２８で乾燥させ、混合された熱風の温度は５０〜１５０℃であり、相対湿度は０〜６０％、好ましくは４０〜６０％であるのが望ましい。
【０１０６】
また、乾燥器２８内には、混合物内の均した水分の蒸発を誘導しながら、水分の蒸発発汗性を誘導するために投入空気量を調節し、出口管の配列を調整することによって、排出される空気を一定に排出されるようにして乾燥過程から発生する空気の対流と力学の原理を利用して、水分の蒸発効果を極大化させるのが良い。
【０１０７】
また、乾燥器２８内で湿気を含んだ空気は、乾燥器２８の一側に形成された排出管を介してすぐに排出されて、乾燥効率を一層増大させ、順次下降しながら乾燥されるようにし、乾燥された乾燥物が容易に排出されるようにするのが好ましい。
【０１０８】
このような方法により乾燥されたペレットは、乾燥器２８の下部に連結されたコンベアベルトを介してペレット貯蔵槽３１に流入するようにし、ペレット貯蔵槽３１に格納されたペレットは、熱風器３２の燃焼原料や再生原料として活用されることになる。
【０１０９】
一方、前記のような構成では、前記のＰＯＭＥ脱水ケーキは、油脂類の含有量が１％以上のスラッジに行われる場合、流動性に応じて前記ＰＯＭＥ脱水ケーキと乾燥ペレット粉末、０．０５〜３．０重量％のアルカリ消石灰を混合した後、ペレットに成形するのが望ましい。
【０１１０】
前記のような構成でなる本発明の効果を調べるために、固液分離前後のＰＯＭＥ汚染の変化を測定して表１に示した。
【０１１１】
固液分離前後のＰＯＭＥ汚染変化
【０１１２】
【表１】
0006048778.tif 000002
【０１１３】
表１に示すように、ＰＯＭＥは通常３〜６％の固形物を含有しているが、これを固液分離する場合、汚染度が急速に低減されていることがわかる。
【０１１４】
併せて、固液分離を介して分離された液相の溶解性有機物は酸化が容易であり、本発明に示すように、迅速に液肥に転換され、廃水処理の負担が急激に減り、脱水ケーキは、ペレットの燃料、すなわち、再生可能なエネルギーとして活用される。
【０１１５】
乾燥ペレットの含水率  
【０１１６】
【表２】
0006048778.tif 000003
【０１１７】
特に、表２に示すように、乾燥されたペレットは、乾燥前に比べて含水率が低く、取り扱いが簡単であり、表３に示すように、エネルギー含有量が非常に高く、再生可能なエネルギーとしての価値が高く、上述のような、さまざまな熱源に乾燥して経済性が高い。
【０１１８】
乾燥されたＰＯＭＥ脱水ケーキの高エネルギー含有量は、パーム油の搾油後、一部の固形物に残留している維持量により影響を受け、これはパーム油の加工工程で残留する油脂類まですべて活用できる良い利点を保有している。
【０１１９】
乾燥ペレットのエネルギー含量（低位発熱量基準）
【０１２０】
【表３】
0006048778.tif 000004
【０１２１】
本発明を通じて得た浮遊固形分の処理の効果は、表４のとおりである。
【０１２２】
本発明に係る固形性浮遊物質除去効果  
【０１２３】
【表４】
0006048778.tif 000005
【０１２４】
表４に示すように、本発明では、浮遊固形分の処理効率が９９％以上であった。
【産業上の利用可能性】
【０１２５】
以上のような本発明は、下水スラッジ、廃水スラッジ、製紙スラッジ、染色スラッジ、畜排水、食品排水、生廃水および油脂類廃水などにも適用可能である。
【符号の説明】
【０１２６】
１  ＰＯＭＥ貯蔵槽  
２  熱交換器
３  排水貯蔵槽  
４  中和剤溶解タンク
５  凝集剤溶解タンク  
６  ラインミキサー
７  濃縮器  
８  空気圧脱水機
９  バッファタンク  
１０  ラインミキサー
１１  加圧浮上槽  
１２  バッファタンク
１３  曝気槽  
１４  液肥貯蔵槽
１５  移送コンベア  
１６  圧着プレス
１７  バッファタンク  
１８  脱水ケーキ貯蔵槽
１９  ＰＯＤＣ貯蔵槽  
２０  ＰＫＳ貯蔵槽
２１  粉砕機  
２２  粉砕ＰＫＳ貯蔵槽
２３  ＰＫＣ貯蔵槽  
２４  粉末貯蔵槽
２５  ミキサー  
２６  スクリーン
２７  成形器  
２８  乾燥器
２９  マルチサイクロン  
３０  ペレット粉砕機
３１  ペレット貯蔵槽  
３２  熱風器
【図１】
0006048778.tif 000006
【図２】
0006048778.tif 000007